(57)【要約】【課題】献灯者の氏名等を記載しやすく、体裁よく展示することができ、しかも、献灯時の利便性が高い灯火体用ケース、および維持費用がほとんど必要なく、灯火体を安定して体裁よく支持することができ、展示効果が高く、しかも灯火体の奉納時、展示時、灯明時の利便性の高い献灯装置を提供する。【解決手段】灯火体用ケース６を、透明な合成樹脂材料により形成された筒体７の少なくとも一端が閉塞片８により閉塞され、筒体７の外周部の少なくとも一部に、筆記可能部９が設けられており、筒体７の内部に棒状のろうそく１を収容しうるようにしたものとする。また、献灯装置１０を、このケース６と、このケース６を、起立状態で支持する支持台１１とを備えるものとする。【選択図】  図２
2019058317.tif 000002
【特許請求の範囲】
【請求項１】
透明な合成樹脂材料により形成された筒体の少なくとも一端が閉塞片により閉塞され、前記筒体の外周部の適所に、筆記可能部を設け、かつ前記筒体の内部に、棒状の灯火体を収容しうるようにしたことを特徴とする灯火体用ケース。
【請求項２】
前記筒体の横断面形状を多角形とし、かつ前記筒体の外周の一平坦面の少なくとも一部を筆記可能部としたことを特徴とする請求項１記載の灯火体用ケース。
【請求項３】
前記閉塞片は、前記筒体の一端に開閉可能として装着されており、かつ前記閉塞片を閉止状態で保持する保持手段が、前記筒体に設けられていることを特徴とする請求項１または２記載の灯火体用ケース。
【請求項４】
前記閉塞片が、外部からの尖先部材の押圧により破れて、前記筒体の一端を開放しうる容易破断性材料により形成されていることを特徴とする請求項１または２記載の灯火体用ケース。
【請求項５】
透明な合成樹脂材料により形成された筒体の少なくとも一端が閉塞片により閉塞され、前記筒体の外周部の少なくとも一部に、筆記可能部が設けられており、前記筒体の内部に灯火体を収容しうるようにしたケースと、
前記灯火体が収容されている前記ケースを起立状態で支持する支持台
とを備えることを特徴とする献灯装置。
【請求項６】
前記支持台が、
上面に、起立状態とした前記ケースの下端部が嵌合可能な有底孔が設けられたベースと、
前記ベースの後部に立設された起立片と、
前記起立片の前面に設けられ、前端部に、前記ベース上に支持された前記ケースの上部または中間部が嵌合することにより、前記ケースの後方と両側方への傾倒を阻止する受け溝が設けられた上部支持片
とを備えていることを特徴とする請求項５記載の献灯装置。
【請求項７】
前記上部支持片の前端部に、前記受け溝の開口部の少なくとも一部を閉塞することにより、前記ケースの前方への傾倒を阻止するようにした係止手段を設けたことを特徴とする請求項６記載の献灯装置。
【請求項８】
前記支持台が、上面に、前記筒体の開口端部を下にして起立状態とした前記ケースの下端部が嵌合可能な有底孔と、この有底孔内において、前記ケース内に収容された前記灯火体の下端部を嵌合可能な有底の受支孔とが、多段状に設けられているベースを備えていることを特徴とする請求項５記載の献灯装置。
【請求項９】
前記ベースの上面における有底孔内に、前記灯火体の底面に設けられている保持孔に嵌合可能な、転倒防止用のピンが立設されていることを特徴とする請求項６〜８のいずれかに記載の献灯装置。
【発明の詳細な説明】
【技術分野】
【０００１】
本発明は、ろうそくや線香等の灯火体用のケース、および献灯装置に関する。
【背景技術】
【０００２】
多くの寺社等においては、献灯用のろうそくを購入した人、または寺社等の関係者が、そのろうそくの外周面に、献灯者の氏名、社名、その他を記載して、献灯台に立て、その後、ろうそくに点火して、灯明を奉納している。
【０００３】
このような献灯用ろうそくには、ろうそく本体の側面に平坦面を形成し、この平坦面上に、水性筆記具で文字が書けるとともに、溶ろうを吸上げて、異常燃焼することのない皮膜を形成したものがある(例えば特許文献１参照)。
【０００４】
また、従来の献灯装置としては、献灯したろうそくが自動的に循環し、かつ一定範囲を循環したろうそくを自動的に取り外すようにしたものや(例えば特許文献２参照)、残存したろうを発熱体により溶融させて、自然流下させ、除去するようにしたもの(例えば特許文献３参照)等がある。
【先行技術文献】
【特許文献】
【０００５】
【特許文献１】特開平０６−０３３０８９号公報
【特許文献２】特開２００４−３２９３３７号公報
【特許文献３】特公平０６−０４４４０２号公報
【発明の概要】
【発明が解決しようとする課題】
【０００６】
しかし、特許文献１に記載されているろうそくは、ろうそくの外周面に献灯者の氏名等を記載しずらく、熟練を要するだけでなく、燃焼時に、溶融したろうが文字の記載部分に付着して、文字が読めなくなったり、文字部分の着色料が溶融して流下し、ろうそくの外周面を汚して、美観が損なわれる等の問題がある。
【０００７】
また、特許文献２および３に記載されている献灯装置は、駆動源や熱源を必要とし、維持費用が嵩むだけでなく、ろうそくの支持が不安定で、各ろうそくが異なる方向に傾いて支持されたり、ろうそくの点火時間がまちまちになり、展示効果が低い等の問題がある。
このような問題点は、灯火体としてろうそくを使用する場合だけでなく、線香その他の棒状の灯火体を使用する場合にも、同様に発生する。
【０００８】
本発明は、従来の技術が有する上記のような問題点に鑑みてなされたもので、献灯者の氏名等を記載しやすく、かつ体裁よく展示することができ、しかも、献灯時の利便性が高い灯火体用ケース、および維持費用をほとんど必要とすることなく、灯火体を安定して体裁よく支持することができ、かつ展示効果が高く、しかも灯火体の運搬時、奉納時、展示時、灯明時の利便性の高い献灯装置を提供することを目的としている。
【課題を解決するための手段】
【０００９】
本発明によると、上記課題は、次のようにして解決される。
（１）灯火体用ケースにおいて、透明な合成樹脂材料により形成された筒体の少なくとも一端が閉塞片により閉塞され、前記筒体の外周部の適所に、筆記可能部を設け、かつ前記筒体の内部に、棒状の灯火体を収容しうるようにしたものとする。
【００１０】
このような構成によると、献灯者の氏名等を、灯火体の外周面に直接記載するのではなく、ケースの筆記可能部に、灯火体をケースに収容しない状態ででも記載することができるので、記載しやすく、また、灯火体をケースに収容した状態で展示したり、奉納したりすることができるので、体裁がよく、しかも、傷つきやすい灯火体の外周面をケースによって防護することができるので、長期間展示したり、保存したりしても、灯火体を美麗な状態に保つことができる。
【００１１】
（２）上記(１)項において、前記筒体の横断面形状を多角形とし、かつ前記筒体の外周の一平坦面の少なくとも一部を筆記可能部とする。
【００１２】
このような構成によると、筆記可能部をケースの外周面の一平坦面に形成してあるので、ここに文字等を記載し易く、しかも、ケースの筒体が多角形であるので、体裁がよい。
【００１３】
（３）上記(１)または(２)項において、前記閉塞片は、前記筒体の一端に開閉可能として装着されており、かつ前記閉塞片を閉止状態で保持する保持手段が、前記筒体に設けられているものとする。
【００１４】
このような構成によると、灯火体を収容したケースを、閉塞片を下にして上下方向を向くようにして把持した状態で、保持手段を解除して、閉塞片を筒体の下端から開き、そのままの状態で、灯火体を社寺の灯明台等に装着し、その後、ケースを灯火体から上方に外すことにより、ケースを上下反転させて、灯火体をケースから取り出したり、灯火体を直接把持したりすることなく、灯火体を簡単かつ迅速に灯明台等に装着することができる。
【００１５】
（４）上記(１)または(２)項において、前記閉塞片が、外部からの尖先部材の押圧により破れて、前記筒体の一端を開放しうる容易破断性材料により形成されているものとする。
【００１６】
このような構成によると、灯火体を収容したケースを、閉塞片を下にして上下方向を向くようにして把持した状態で、閉塞片を、灯明台等に設けられている針等の尖先部材に押しつけるだけで、閉塞片が破れて、筒体の下端が開口し、灯火体が即座に灯明台等に装着される。
その後、ケースを灯火体から上方に外すことにより、ケースを上下反転させて、灯火体をケースから取り出したり、灯火体を直接把持したりすることなく、灯火体を簡単かつ迅速に灯明台等に装着することができる。
【００１７】
（５）献灯装置において、透明な合成樹脂材料により形成された筒体の少なくとも一端が、閉塞片により閉塞され、前記筒体の外周部の少なくとも一部に、筆記可能部が設けられており、前記筒体の内部に灯火体を収容しうるようにしたケースと、前記灯火体が収容されている前記ケースを起立状態で支持する支持台とを備えるものとする。
【００１８】
このような構成によると、駆動源や熱源を必要としないので、維持費用がほとんど必要なく、灯火体を、ケース内に収容して防護した状態で、支持台上に安定して体裁よく支持することができ、展示効果を高めることができ、しかも灯火体の運搬時、奉納時、展示時、灯明時の利便性を高めることができる。
【００１９】
（６）上記(５)項において、前記支持台が、上面に、起立状態とした前記ケースの下端部が嵌合可能な有底孔が設けられたベースと、前記ベースの後部に立設された起立片と、前記起立片の前面に設けられ、前端部に、前記ベース上に支持された前記ケースの上部または中間部が嵌合することにより、前記ケースの後方と両側方への傾倒を阻止する受け溝が設けられた上部支持片とを備えているものとする。
【００２０】
このような構成によると、灯火体を収容したケースの下端部を、ベースの有底孔に嵌合し、かつケースの上部または中間部を、上部支持片の受け溝に嵌合することにより、灯火体を、ケースにより防護した状態で、体裁よく、かつ安定して支持することができ、しかも展示効果を高めることができる。
【００２１】
（７）上記(６)項において、前記上部支持片の前端部に、前記受け溝の開口部の少なくとも一部を閉塞することにより、前記ケースの前方への傾倒を阻止するようにした係止手段を設ける。
【００２２】
このような構成によると、灯火体を収容したケースを、前後、左右のすべての方向への傾倒を確実に防止することができるだけでなく、係止手段を解除することにより、灯火体を収容したケースを、簡単かつ迅速に前方に取り出したり、装着したりすることができる。
【００２３】
（８）上記(５)項において、前記支持台が、上面に、前記筒体の開口端部を下にして起立状態とした前記ケースの下端部が嵌合可能な有底孔と、この有底孔内において、前記ケース内に収容された前記灯火体の下端部を嵌合可能な有底の受支孔とが、多段状に設けられているベースを備えているものとする。
【００２４】
このような構成によると、展示時には、灯火体の下端部を支持台の受支孔に嵌合し、かつ開口したケースの下端部を支持台の有底孔に嵌合して、それらを支持台上に起立状態で安定よく支持することができ、しかも灯明時には、支持台からケースのみを引き上げて、迅速に灯火体に点火することができ、灯火体の展示時から灯明時にかけての利便性がよい。
すなわち、灯火体をケースとともに支持台から取り出した後、灯火体をケースから抜き出し、次いで灯火体のみを支持台上に立てるといった作業を省略することができる。
【００２５】
（９）上記(６)〜(８)項のいずれかにおいて、前記ベースの上面における有底孔内に、前記灯火体の底面に設けられている保持孔に嵌合可能な、転倒防止用のピンが立設されているものとする。
【００２６】
このような構成によると、灯火体の展示時および灯明時において、灯火体を、支持台上に起立状態で安定よく支持することができ、また灯火体の転倒を防止することができる。
【発明の効果】
【００２７】
本発明によると、献灯者の氏名等を記載しやすく、体裁よく展示することができ、しかも、献灯時の利便性が高い灯火体用ケース、および維持費用がほとんど必要なく、灯火体を安定させて体裁よく支持することができ、展示効果が高く、しかも灯火体の奉納時、展示時、灯明時の利便性の高い献灯装置を提供することができる。
【図面の簡単な説明】
【００２８】
【図１】灯火体であるろうそくを収容した本発明の灯火体用ケースの第１の実施形態を斜め前方より見た斜視図である。
【図２】図１に示す灯火体用ケースを支持台に装着した本発明の献灯装置の第１の実施形態を斜め前方より見た斜視図である。
【図３】図２のIII−III線における縦断正面図である。
【図４】本発明の灯火体用ケースの第２の実施形態の下部を斜め前方より見た斜視図であり、２点鎖線は、底部を開いた状態を示す。
【図５】本発明の灯火体用ケースの第３の実施形態の下部と、それを装着しようとする灯明台とを示す縦断正面図であり、２点鎖線は、閉塞片が破裂した状態を示す。
【図６】本発明の献灯装置の第２の実施形態における中央部を斜め前方より見た斜視図である。
【図７】本発明の献灯装置の第３の実施形態における中央部を斜め前方より見た斜視図である。
【図８】本発明の献灯装置の第４の実施形態を斜め前方より見た斜視図である。
【図９】図８のIX−IX線における拡大縦断正面図である。
【図１０】本発明の献灯装置の第４の実施形態を斜め前方より見た斜視図である。
【発明を実施するための形態】
【００２９】
以下、本発明の灯火体用ケースおよび献灯装置を、添付図面を参照して説明する。
図１は、灯火体の一例であるろうそくを収容した本発明の灯火体用ケースの第１の実施形態を示す。
【００３０】
この実施形態では、灯火体として、ろうそく１を対象としているが、線香の束や、その他の遅速可燃体を対象とすることもある。
ろうそく１は、ろう材からなる円柱体２の中心軸上に灯芯３を埋設し、かつ円柱体２の底面中央に、円錐形の保持孔４(図３参照)を設けたものよりなっている。
【００３１】
円柱体２のろう材は、蜜蝋、パラフィン、その他の適宜の材料よりなっている。
円柱体２の外形は、円柱形だけでなく、多角形その他の非円形断面の?形、正立または倒立の截頭円錐形、中間部が括れた中細形等(これらをすべて含めて棒状と呼ぶ)とすることができる。
ろうそく１の外周面の適所には、これを販売もしくは頒布する寺社等の紋章その他のマーク５を施すこともある。
【００３２】
灯火体用ケース(以下、単にケースという)６は、透明な合成樹脂材料により形成された上下方向を向く筒体７よりなり、その上端は開口し、下端は閉塞片８により閉塞され、かつ筒体７の外周部の少なくとも一部に、筆記可能部９が設けられ、内部に棒状のろうそく１を収容しうるようになっている。
【００３３】
実施例では、筒体７の横断面形状を、正四角形としてあるが、正三角形、正六角形、またはその他の多角形とすることもある。なお、筒体７の外周の一部を、平坦な筆記可能部９としてある。
【００３４】
前記閉塞片８は、筒体７の下端開口部の一辺に連設され、筒体７の内方に向けて直角に折曲し、かつ遊端に連設した折曲片(図示略)を、筒体７の対向縁に、溶着または接着されている。
これに代わり、筒体７の下端開口部の対向縁に連設した２片の折曲片(図示略)を互いに重合させ、その適所を溶着または接着して形成することもできる。
【００３５】
筆記可能部９は、ケース６の外周面の平坦面の一部をつや消し処理するか、または表面を筆記可能面とした接着テープを接着して形成することができる。
【００３６】
このケース６は、上記のような構成とされているので、献灯者の氏名等を、ろうそく１の外周面に直接記載するのではなく、ケース６の筆記可能部９に、ろうそく１をケース６に収容しない状態でも(もちろん、ケース６に収容した状態でも)記載することができるので、記載し易く、また、ろうそく１をケース６に収容した状態で展示したり、販売したり、奉納したりすることができるので、体裁がよく、しかも、傷つきやすいろうそく１の外周面は、ケース６によって防護されているので、長期間展示したり、保存したりしても、ろうそく１の表面を清潔な状態に保つことができる。
【００３７】
また、筒体７の横断面形状を多角形とし、その外周の平坦面の少なくとも一部を筆記可能部９としてあるので、ここに文字等を記載し易く、しかも、ケース６の筒体７が多角形であるので、体裁がよい。
【００３８】
ケース６の筒体７の上端は開口しているので、図１に示すように、上端が開口するケース６の中にろうそく１を収容して展示している状態から、ケース６をろうそく１とともに取り出して、上下反転させてから、ろうそく１をケース６から取り出し、ろうそく１のみを灯明台(図示略)に装着し、灯芯３に着火して、簡単に献灯することができる。
【００３９】
図２および図３は、本発明の献灯装置の第１の実施形態を示す。
この献灯装置１０は、灯火体であるろうそく１を収容した図１に示すケース６を、支持台１１に起立状態で支持させて展示するようにしたものである。
【００４０】
支持台１１は、上面に、起立状態としたケース６の下端部と補形をなして、その下端部が嵌合可能な有底孔１２が設けられたベース１３と、ベース１３の後部に立設された起立片１４と、起立片１４の前面に設けられ、前端部に、ベース１３上に支持されたケース６の上部または中間部が嵌合することにより、ケース６の後方と両側方への傾倒を阻止する受け溝１５が設けられた上部支持片１６とを備えている。
【００４１】
上部支持片１６の前端部における両側面には、上下方向を向く切り込み１７、１７が設けられており、上部支持片１６の受け溝１５に嵌合したケース６の前方において、輪ゴム等の輪状の伸縮性索条１８を、この両切り込み１７、１７に掛け回すことにより、ケース６が前方に傾倒するのを阻止するようにしてある。
【００４２】
この索条１８により、上部支持片１６の前端部に設けられている受け溝１５の開口部の少なくとも一部を閉塞することにより、ケース６の前方への傾倒を阻止する係止手段１９が形成されている。
【００４３】
この係止手段１９と上部支持片１６の受け溝１５とにより、ろうそく１を収容したケース６の前後、左右のすべての方向への傾倒を確実に防止することができるだけでなく、係止手段１９を解除することにより、すなわち、索条１８を上部支持片１６の前端部から外すことにより、ケース６を、簡単かつ迅速に前方に取り出したり、装着したりすることができる。
【００４４】
索条１８は、輪ゴム等の輪状の伸縮性のものに限られるものではなく、紐、鎖、正面視下向き凵字状の柵等(いずれも図示略)とすることができる。
紐の場合は、上部支持片１６の前端部の両切り込み１７、１７に掛け回した状態で、ケース６の前方において両端部を結ぶようにすればよい。
鎖や正面視下向き凵字状の柵の場合は、ケース６の前方において、上部支持片１６の前端部上に水平に載置し、両端部を両切り込み１７、１７を通して垂下させるだけでよい。
【００４５】
この献灯装置１０は、寺社の本堂等の正面に配置して展示し、献灯者にろうそく１をケース６に収容した状態で販売し、献灯者は、購入したろうそく１が収容されているケース６を、支持台１１から取り出して、ケース６の筆記可能部９に献灯者の氏名等を記載し、それを支持台１１の元の場所に戻して展示する。
支持台１１からのケース６の取り出しや、支持台１１の元の場所へのケース６の戻し作業は、販売者が行うこともある。
【００４６】
その後、適時に寺社の関係者が、支持台１１に支持されているろうそく１をケース６ごと取り出し、ケース６を上下反転させ、ろうそく１をケース６から取り出して、ろうそく１のみを灯明台(図示略)に装着し、灯芯３に着火して、献灯する。
【００４７】
この献灯装置１０によると、駆動源や熱源を必要としないので、維持費用がほとんど必要なく、灯火体であるろうそく１を、ケース６内に収容して防護した状態で、支持台１１上に安定して体裁よく支持することができ、展示効果を高めることができ、しかもろうそく１の奉納時、展示時、灯明時の利便性を高めることができる。
【００４８】
また、支持台１１を、有底孔１２が設けられたベース１３と、起立片１４と、受け溝１５が設けられた上部支持片１６とを備えるものとしてあるので、ろうそく１を収容したケース６の下端部を、ベース１３の有底孔１２に嵌合し、かつケース６の上部または中間部を、上部支持片１６の受け溝１５に嵌合することにより、ろうそく１を、ケース６により防護した状態で、体裁よく、かつ安定して支持することができ、しかも展示効果を高めることができる。
【００４９】
図４は、本発明の灯火体用ケースの第２の実施形態の下方部分を示す。
なお、図１に示す灯火体用ケースの第１の実施形態におけるのと同一または類似の部材には、同一の符号を付して図示するに止め、それらについての詳細な説明は省略する(図５に示す灯火体用ケースの第３の実施形態においても同様とする)。
【００５０】
このケース６においては、閉塞片８は、筒体７の下端に開閉可能として装着されている。
すなわち、閉塞片８は、基端部が筒体７の下端開口部の後縁に、図４に実線で示す前方を向く閉止位置と、同じく２点鎖線で示すように、ほぼ下方を向く開放位置との間を開閉可能として枢設され、かつその遊端部に、上向きの折曲片８ａが折曲形成されている。
【００５１】
折曲片８ａの中央部には、方形の係合孔２０が設けられており、この係合孔２０の上縁を、筒体７の前面下部に設けた突起２１に係止することにより、閉塞片８は、筒体７の下端開口部を閉塞する水平の閉止位置に保持されている。
【００５２】
突起２１は、係合孔２０の上縁が係脱する上端面２１ａと、その前端から後下向き傾斜する傾斜面２１ｂとを有するように、筒体７の前面より前方に側面視楔状をなして突出している。
【００５３】
この筒体７に設けた突起２１は、閉塞片８における係合孔２０を設けた折曲片８ａと協働して、閉塞片８を閉止状態で保持する保持手段をなしている。
保持手段は、このような突起２１に限られるものではなく、例えば、閉塞片８の折曲片８ａを、剥離可能な接着剤をもって接着したもの、閉塞片８に設けた係止片を、筒体７の一部に設けた切り込みまたは係合孔(いずれも図示略)に係止させるようにしたもの等とすることができる。
【００５４】
その他の構造は、図１に示す灯火体用ケースの第１の実施形態におけるものと同一である。
なお、この第２の実施形態においては、ケース６における筒体７の上端は、閉塞片(図示略)により閉塞し、ケース６内に塵埃が進入しないようにしておいてもよい。
【００５５】
このケース６の第２の実施形態によると、図４に実線で示す状態から、閉塞片８における折曲片８ａの上端部を前方に弾性撓曲させて、係合孔２０の上縁を突起２１から外し、かつ閉塞片８を、図４に２点鎖線で示すように、下向きに開くことにより、筒体７内に収容されているろうそく１を下方に向けて簡単に取り出すことができる。
【００５６】
したがって、寺社の関係者が、図４に示すケース６を、その中に収容したろうそく１とともに、図２等に示す支持台１１から取り出し、展示時の上下方向を向く姿勢のまま把持した状態で、閉塞片８を上記のようにして開き、ろうそく１をケース６から下方に抜き出して、ろうそく１のみを灯明台に装着するか、または、閉塞片８を開いたケース６ごと、ろうそく１を灯明台に装着し、その後ケース６のみをろうそく１から上方に取り出し、しかる後、灯芯３に着火して、献灯することができる。
【００５７】
すなわち、ケース６の第１の実施形態のように、ケース６を上下反転させて、ろうそく１を取り出す必要がなく、上下方向を向く姿勢のままで、ろうそく１をケース６から下方に取り出したり、ケース６ごと、ろうそく１を灯明台に装着したりすることができ、ろうそく１の展示時から灯明時への移行の際の利便性がよい。
【００５８】
特に、ケース６ごと、ろうそく１を灯明台に装着し、その後ケース６のみをろうそく１から上方に取り出すようにすれば、ろうそく１に手を触れることなく作業を行うことができるので、手にろう材が付着したり、ろうそく１の表面が汚れたりすることがなく、清潔に作業を行うことができる。
【００５９】
図５は、本発明の灯火体用ケースの第３の実施形態の下部と、それを保持する灯明台とを示す。
【００６０】
このケース６の第３の実施形態においては、筒体７の下端開口部を、外部からの尖先部材(後述する)の押圧により破られ、筒体７の下端を開放しうる容易破断性材料により形成した閉塞片２２により閉塞してある。
【００６１】
この閉塞片２２は、伸縮性のシートを緊張させて、筒体７の下端開口部を閉塞し、かつその周縁部を、筒体７の下端部の外周面に、ピン等の止着具２３をもって固着するか、または溶着もしくは接着することにより形成することができる。
閉塞片２２の材料としては、例えば羊羹等を被包している容易破断性の合成樹脂材料と同様の材料を使用することができる。
【００６２】
図５に示す灯明台３０は、上面に、ケース６の下端部と補形をなして、その下端部が嵌合するようにした有底孔３１と、この有底孔３１の底面３１ａの中央に上向きに突設され、ろうそく１の底面に設けられている円錐形の保持孔４に嵌合可能な、転倒防止用の尖先状のピン３２とが設けられた支持台３３を備えている。
【００６３】
ピン３２は、前記閉塞片２２を破るための尖先部材をなしている。
【００６４】
したがって、寺社等の関係者が、図５に示すケース６を、その中に収容したろうそく１とともに、図２等に示す支持台１１から取り出し、展示時の上下方向を向く姿勢のまま把持した状態で、ケース６の下端部を図５に示す灯明台３０の有底孔３１に嵌合しようとすると、その直前に、ピン３２の先端が閉塞片２２に刺さり、閉塞片２２が破断し、その残骸は、図５に２点鎖線で示すように、ケース６の下端外周部に付着した状態で残る。
【００６５】
閉塞片２２の破断により、ケース６の下端部は開口し、ケース６内のろうそく１の保持孔４は、円滑にピン３２に嵌合することができ、かつケース６の下端部は支持台３３の有底孔３１に嵌合される。
【００６６】
その後、ケース６のみをろうそく１から上方に取り出すと、ろうそく１は、その保持孔４にピン３２が刺さっていることにより、起立状態で安定よく支持台３３上に支持される。
しかる後、灯芯３に着火して、献灯することができる。
【００６７】
したがって、図５に示す実施形態によると、ケース６を上下反転させて、ろうそく１をケース６から取り出したり、ろうそく１を直接把持したりすることなく、ろうそく１を簡単かつ迅速に灯明台３０等に装着することができる。
【００６８】
図６は、本発明の献灯装置の第２の実施形態を示す。
なお、図２および図３に示す献灯装置の第１の実施形態におけるのと同一または類似の部材には、同一の符号を付して図示するに止め、それらについての詳細な説明は省略する(図７以降に示す献灯装置の第３以降の実施形態においても同様とする)。
【００６９】
図６に示す献灯装置１０においては、図２に示す係止手段１９に代えて、フック式の係止手段４０を備えるものとしてある。
この係止手段４０は、上部支持片１６における受け溝１５の一側方の上面に上下方向を向く軸４１をもって基端部が枢着され、かつ先端に受け溝１５の方向を向く係止部４２ａが設けられたフック片４２と、中間の巻回部４３ａが軸４１に巻回され、一方の延出端部４３ｂが上部支持片１６の適所に係止され、かつ他方の延出端部４３ｃがフック片４２の中間部に係止されて、フック片４２を、軸４１を中心として係止部４２ａが受け溝１５内に突出する係止方向に付勢する捩りコイルばねとした付勢手段４３と、上部支持片１６の上面に突設され、かつフック片４２の係止部４２ａが、受け溝１５に嵌合されたケース６の前面に係合しうる係止位置に達したとき、フック片４２の中間部に当接して、フック片４２のそれ以上の過剰回動を阻止するようにしたストッパ４４とを備えている。
【００７０】
この係止手段４０によると、フック片４２を、付勢手段４３の付勢力に抗して、係止位置から、フック片４２の係止部４２ａが受け溝１５から外れた解除位置まで回動させることにより、ケース６を受け溝１５に出し入れすることができ、ケース６を受け溝１５に嵌合しているときは、フック片４２が付勢手段４３の付勢力により付勢されて係止位置に保持され、そのときのフック片４２の係止部４２ａが、受け溝１５の開口部の一部を閉塞して、ケース６の前方への傾倒を阻止することができる。
【００７１】
図７は、本発明の献灯装置の第３の実施形態を示す。
図７に示す献灯装置１０においては、図２に示す係止手段１９に代えて、ゲート式の係止手段５０を備えるものとしてある。
この係止手段５０は、上部支持片１６における受け溝１５の前端の開口縁部に、上方と互いに対向する側方のみとに開口する１対の受け溝５１、５１を設け、この両受け溝５１、５１に、左右方向を向くゲート板５２の両側下部を落とし込むことにより、受け溝１５の開口部を閉塞して、受け溝１５内に嵌合したケース６の前方への傾倒を阻止することができるようにしてある。
【００７２】
この係止手段５０によると、ゲート板５２を、両受け溝５１、５１から図７に矢印で示すように、上方に引き上げて、上部支持片１６から外すだけで、ケース６を受け溝１５に出し入れすることができる。
【００７３】
図８および図９は、本発明の献灯装置の第４の実施形態を示す。
図８および図９に示す献灯装置６０は、灯明台としても使用しうるものであって、上端が開口し、かつ下端が閉塞片８により閉塞された図１に示すケース６を上下反転させて、開口が下方を向き、かつ閉塞片８が上方に位置するようにし、その中にろうそく１を収容した状態で、ケース６およびろうそく１を起立状態で支持する支持台６１を備えている。
この献灯装置６０においては、ケース６を、開口が下方を向くようにして展示する関係上、筆記可能部９’の位置を、ケース６の下端の開口部寄りに形成してある。
【００７４】
支持台６１は、上面に、開口を下にして起立状態としたケース６の筒体７の下端部と補形をなして、その下端部が嵌合可能な左右２個の有底孔６２、６２と、各有底孔６２内において、ケース６内に収容されたろうそく１の下端部と補形をなして、その下端部が嵌合可能な有底の受支孔６３、６３とが多段状に設けられているベース６４を備えている。
【００７５】
ベース６４における各受支孔６３の底面６３ａの中央には、ろうそく１の底面に設けられている円錐形の保持孔４(図３参照)に嵌合可能な、転倒防止用の尖先状のピン６５が上向きに突設されている。
【００７６】
献灯装置６０においては、ろうそく１の展示時には、図８の右方に示すように、ろうそく１の保持孔４にピン６５が刺さるようにして、ろうそく１の下端部が受支孔６３に嵌合され、さらにその外側から、上端が閉塞片８により閉塞され、かつ下端開口部が有底孔６２に嵌合されたケース６が被嵌されている。
【００７７】
このとき、ろうそく１は、保持孔４にピン３２が刺さっており、かつ下端部が受支孔６３に嵌合されていることにより、ベース６４上に安定よく、強固に支持されている。
また、ケース６も、その下端開口部が有底孔６２に嵌合されていることにより、ベース６４上に安定よく支持されている。
【００７８】
この状態で、献灯装置６０は寺社の本堂等の全面に載置して展示され、献灯者が献灯したいときは、寺社の関係者に代金を支払った後、希望のケース６のみを、場合によってはろうそく１ごと支持台６１から取り出して、ケース６の筆記可能部９’に献灯者の氏名等を記載し、その後、ケース６およびろうそく１を、支持台６１上の元の位置に戻す。
【００７９】
支持台６１上のすべてのケース６の筆記可能部９’に献灯者の氏名等が記載された後、または適時に、寺社の関係者がすべてのケース６を支持台６１上から上方に外し、支持台６１上に支持されたままのすべてのろうそく１に着火して、支持台６１が載置されたままの場所で、支持台６１を灯明台として、献灯することができる。
【００８０】
この献灯装置６０によると、図２および図３に示す献灯装置１０の支持台１１における起立片１４および上部支持片１６を省略して、構造を簡素化することができ、しかもろうそく１およびケース６を安定よくベース６４上に支持することができる。
【００８１】
また、複数のろうそく１およびケース６を体裁よく支持して展示することができるだけでなく、支持台６１からケース６のみを引き上げて、迅速にろうそく１に点火することができ、ろうそく１の展示時から灯明時にかけての利便性がよい。
すなわち、ろうそく１をケース６とともに支持台６１から取り出した後、ろうそく１をケース６から抜き出し、次いでろうそく１のみを支持台６１上に立てるといった作業を省略することができる。
【００８２】
さらに、支持台６１に設けた転倒防止用のピン６５に、ろうそく１の保持孔４を嵌合することにより、ろうそく１の展示時および灯明時において、各ろうそく１を、支持台６１上に起立状態で安定よく強固に支持することができ、またろうそく１の転倒を防止することができる。
【００８３】
図１０は、本発明の献灯装置の第５の実施形態を示す。
図１０に示す献灯装置７０においては、図２に示す献灯装置１０における支持台１１全体を横長のものとした支持台７１を備えている。
【００８４】
支持台７１におけるベース７２の上面には、複数の有底孔７３が左右方向に並べて設けられており、ベース７２の後部に立設した起立片７４の前面に設けた上部支持片７５の前部には、ろうそく１を収容したケース６の上部または中間部が嵌合することにより、ケース６の後方と両側方への傾倒を阻止するようにした複数の受け溝７６が、左右方向に並べて設けられている。
【００８５】
上部支持片７５の前部には、図２に示す係止手段１９、図６に示す係止手段４０、図７に示す係止手段５０のいずれかのものと同様のものを設けてもよい。
【００８６】
この献灯装置７０によると、複数のろうそく１およびケース６を、左右方向に並べて、体裁よく展示することができ、図２に示す献灯装置１０と同様の作用および効果を奏することができる。
【００８７】
本発明は、上記実施形態のみに限定されるものではなく、特許請求の範囲を逸脱することなく、例えば、次のような幾多の変形した態様での実施が可能である。
(１)ろうそく１に代えて、線香の束、その他の灯火体を使用する。
(２)図３に２点鎖線で示すように、ベース１３における有底孔１２の底面の中央に、図５に示すピン３２、または図８に示すピン６５と同様の転倒防止用の尖先状のピン８０を立設する。
この場合には、ケース６の閉塞片８に、ピン８０が挿通しうる挿通孔(図示略)を予め設けておき、ケース６の下端部をベース１３の有底孔１２に嵌合したとき、ピン８０が閉塞片８におけるこの挿通孔を挿通し、ケース６内に収容されたろうそく１の保持孔４に円滑に侵入するようにするのが好ましい。
(３)図８に示すケース６の上端を開口させておく。
【符号の説明】
【００８８】
１  ろうそく(灯火体)
２  円柱体
３  灯芯
４  保持孔
５  マーク
６  灯火体用ケース
７  筒体
８  閉塞片
８ａ折曲片
９、９’  筆記可能部
１０  献灯装置
１１  支持台
１２  有底孔
１３  ベース
１４  起立片
１５  受け溝
１６  上部支持片
１７  切り込み
１８  索条
１９  係止手段
２０  係合孔
２１  突起(保持手段)
２１ａ上端面
２１ｂ傾斜面
２２  閉塞片
２３  止着具
３０  灯明台
３１  有底孔
３１ａ底面
３２  ピン
３３  支持台
４０  係止手段
４１  軸
４２  フック片
４２ａ係止部
４３  付勢手段
４３ａ巻回部
４３ｂ延出端部
４３ｃ延出端部
４４  ストッパ
５０  係止手段
５１  受け溝
５２  ゲート板
６０  献灯装置
６１  支持台
６２  有底孔
６３  受支孔
６３ａ底面
６４  ベース
６５  ピン
７０  献灯装置
７１  支持台
７２  ベース
７３  有底孔
７４  起立片
７５  上部支持片
７６  受け溝
８０  ピン
【図１】
2019058317.tif 000003
【図２】
2019058317.tif 000004
【図３】
2019058317.tif 000005
【図４】
2019058317.tif 000006
【図５】
2019058317.tif 000007
【図６】
2019058317.tif 000008
【図７】
2019058317.tif 000009
【図８】
2019058317.tif 000010
【図９】
2019058317.tif 000011
【図１０】
2019058317.tif 000012
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
透明な合成樹脂材料により形成された筒体の少なくとも一端が閉塞片により閉塞され、前記筒体の外周部の少なくとも一部に、筆記可能部が設けられており、前記筒体の内部に灯火体を収容しうるようにしたケースと、
前記灯火体が収容されている前記ケースを起立状態で支持する支持台とを備え、
前記支持台は、
上面に、起立状態とした前記ケースの下端部が嵌合可能な有底孔が設けられたベースと、
前記ベースの後部に立設された起立片と、
前記起立片の前面に設けられ、前端部に、前記ベース上に支持された前記ケースの上部または中間部が嵌合することにより、前記ケースの後方と両側方への傾倒を阻止する受け溝が設けられた上部支持片とを有することを特徴とする請求項５記載の献灯装置。
【請求項２】
前記上部支持片の前端部に、前記受け溝の開口部の少なくとも一部を閉塞することにより、前記ケースの前方への傾倒を阻止するようにした係止手段を設けたことを特徴とする請求項１記載の献灯装置。
【請求項３】
前記有底孔は、前記筒体の開口端部を下にして起立状態とした前記ケースの下端部が嵌合可能であり、前記有底孔内において、前記有底孔と、前記ケース内に収容された前記灯火体の下端部を嵌合可能な有底の受支孔とが、多段状に設けられていることを特徴とする請求項１または２記載の献灯装置。
【請求項４】
前記ベースの上面における前記有底孔内に、前記灯火体の底面に設けられている保持孔に嵌合可能な、転倒防止用のピンが立設されていることを特徴とする請求項１〜３のいずれかに記載の献灯装置。
【手続補正２】
【補正対象書類名】明細書
【補正対象項目名】全文
【補正方法】変更
【補正の内容】
【発明の詳細な説明】
【技術分野】
【０００１】
本発明は、ろうそくや線香等の灯火体用のケースの献灯装置に関する。
【背景技術】
【０００２】
多くの寺社等においては、献灯用のろうそくを購入した人、または寺社等の関係者が、そのろうそくの外周面に、献灯者の氏名、社名、その他を記載して、献灯台に立て、その後、ろうそくに点火して、灯明を奉納している。
【０００３】
このような献灯用ろうそくには、ろうそく本体の側面に平坦面を形成し、この平坦面上に、水性筆記具で文字が書けるとともに、溶ろうを吸上げて、異常燃焼することのない皮膜を形成したものがある(例えば特許文献１参照)。
【０００４】
また、従来の献灯装置としては、献灯したろうそくが自動的に循環し、かつ一定範囲を循環したろうそくを自動的に取り外すようにしたものや(例えば特許文献２参照)、残存したろうを発熱体により溶融させて、自然流下させ、除去するようにしたもの(例えば特許文献３参照)等がある。
【先行技術文献】
【特許文献】
【０００５】
【特許文献１】特開平０６−０３３０８９号公報
【特許文献２】特開２００４−３２９３３７号公報
【特許文献３】特公平０６−０４４４０２号公報
【発明の概要】
【発明が解決しようとする課題】
【０００６】
しかし、特許文献１に記載されているろうそくは、ろうそくの外周面に献灯者の氏名等を記載しずらく、熟練を要するだけでなく、燃焼時に、溶融したろうが文字の記載部分に付着して、文字が読めなくなったり、文字部分の着色料が溶融して流下し、ろうそくの外周面を汚して、美観が損なわれる等の問題がある。
【０００７】
また、特許文献２および３に記載されている献灯装置は、駆動源や熱源を必要とし、維持費用が嵩むだけでなく、ろうそくの支持が不安定で、各ろうそくが異なる方向に傾いて支持されたり、ろうそくの点火時間がまちまちになり、展示効果が低い等の問題がある。
このような問題点は、灯火体としてろうそくを使用する場合だけでなく、線香その他の棒状の灯火体を使用する場合にも、同様に発生する。
【０００８】
本発明は、従来の技術が有する上記のような問題点に鑑みてなされたもので、献灯者の氏名等を記載しやすく、かつ体裁よく展示することができ、しかも、献灯時の利便性が高い灯火体用ケース、および維持費用をほとんど必要とすることなく、灯火体を安定して体裁よく支持することができ、かつ展示効果が高く、しかも灯火体の運搬時、奉納時、展示時、灯明時の利便性の高い献灯装置を提供することを目的としている。
【課題を解決するための手段】
【０００９】
本発明によると、上記課題は、次のようにして解決される。
（１）透明な合成樹脂材料により形成された筒体の少なくとも一端が閉塞片により閉塞され、前記筒体の外周部の少なくとも一部に、筆記可能部が設けられており、前記筒体の内部に灯火体を収容しうるようにしたケースと、前記灯火体が収容されている前記ケースを起立状態で支持する支持台とを備え、前記支持台は、上面に、起立状態とした前記ケースの下端部が嵌合可能な有底孔が設けられたベースと、前記ベースの後部に立設された起立片と、前記起立片の前面に設けられ、前端部に、前記ベース上に支持された前記ケースの上部または中間部が嵌合することにより、前記ケースの後方と両側方への傾倒を阻止する受け溝が設けられた上部支持片とを有する。
【００１０】
このような構成によると、駆動源や熱源を必要としないので、維持費用がほとんど必要なく、灯火体を、ケース内に収容して防護した状態で、支持台上に安定して体裁よく支持することができ、展示効果を高めることができ、しかも灯火体の運搬時、奉納時、展示時、灯明時の利便性を高めることができる。
【００１１】
さらに、灯火体を収容したケースの下端部を、ベースの有底孔に嵌合し、かつケースの上部または中間部を、上部支持片の受け溝に嵌合することにより、灯火体を、ケースにより防護した状態で、体裁よく、かつ安定して支持することができ、しかも展示効果を高めることができる。
【００１２】
（２）上記(１)項において、前記上部支持片の前端部に、前記受け溝の開口部の少なくとも一部を閉塞することにより、前記ケースの前方への傾倒を阻止するようにした係止手段を設ける。
【００１３】
このような構成によると、灯火体を収容したケースを、前後、左右のすべての方向への傾倒を確実に防止することができるだけでなく、係止手段を解除することにより、灯火体を収容したケースを、簡単かつ迅速に前方に取り出したり、装着したりすることができる。
【００１４】
（３）上記（１）または（２）項において、前記有底孔は、前記筒体の開口端部を下にして起立状態とした前記ケースの下端部が嵌合可能であり、前記有底孔内において
、前記有底孔と、前記ケース内に収容された前記灯火体の下端部を嵌合可能な有底の受支孔とが、多段状に設けられる。
【００１５】
このような構成によると、展示時には、灯火体の下端部を支持台の受支孔に嵌合し、かつ開口したケースの下端部を支持台の有底孔に嵌合して、それらを支持台上に起立状態で安定よく支持することができ、しかも灯明時には、支持台からケースのみを引き上げて、迅速に灯火体に点火することができ、灯火体の展示時から灯明時にかけての利便性がよい。
すなわち、灯火体をケースとともに支持台から取り出した後、灯火体をケースから抜き出し、次いで灯火体のみを支持台上に立てるといった作業を省略することができる。
【００１６】
（４）上記（１）〜（３）項のいずれかにおいて、前記ベースの上面における前記有底孔内に、前記灯火体の底面に設けられている保持孔に嵌合可能な、転倒防止用のピンが立設されているものとする。
【００１７】
このような構成によると、灯火体の展示時および灯明時において、灯火体を、支持台上に起立状態で安定よく支持することができ、また灯火体の転倒を防止することができる。
【発明の効果】
【００１８】
本発明によると、献灯者の氏名等を記載しやすく、体裁よく展示することができ、しかも、献灯時の利便性が高い灯火体用ケース、および維持費用がほとんど必要なく、灯火体を安定させて体裁よく支持することができ、展示効果が高く、しかも灯火体の奉納時、展示時、灯明時の利便性の高い献灯装置を提供することができる。
【図面の簡単な説明】
【００１９】
【図１】灯火体であるろうそくを収容した本発明の灯火体用ケースの第１の実施形態を斜め前方より見た斜視図である。
【図２】図１に示す灯火体用ケースを支持台に装着した本発明の献灯装置の第１の実施形態を斜め前方より見た斜視図である。
【図３】図２のIII−III線における縦断正面図である。
【図４】本発明の灯火体用ケースの第２の実施形態の下部を斜め前方より見た斜視図であり、２点鎖線は、底部を開いた状態を示す。
【図５】本発明の灯火体用ケースの第３の実施形態の下部と、それを装着しようとする灯明台とを示す縦断正面図であり、２点鎖線は、閉塞片が破裂した状態を示す。
【図６】本発明の献灯装置の第２の実施形態における中央部を斜め前方より見た斜視図である。
【図７】本発明の献灯装置の第３の実施形態における中央部を斜め前方より見た斜視図である。
【図８】本発明の献灯装置の第４の実施形態を斜め前方より見た斜視図である。
【図９】図８のIX−IX線における拡大縦断正面図である。
【図１０】本発明の献灯装置の第４の実施形態を斜め前方より見た斜視図である。
【発明を実施するための形態】
【００２０】
以下、本発明の灯火体用ケースおよび献灯装置を、添付図面を参照して説明する。
図１は、灯火体の一例であるろうそくを収容した本発明の灯火体用ケースの第１の実施形態を示す。
【００２１】
この実施形態では、灯火体として、ろうそく１を対象としているが、線香の束や、その他の遅速可燃体を対象とすることもある。
ろうそく１は、ろう材からなる円柱体２の中心軸上に灯芯３を埋設し、かつ円柱体２の底面中央に、円錐形の保持孔４(図３参照)を設けたものよりなっている。
【００２２】
円柱体２のろう材は、蜜蝋、パラフィン、その他の適宜の材料よりなっている。
円柱体２の外形は、円柱形だけでなく、多角形その他の非円形断面のとう形、正立または倒立の截頭円錐形、中間部が括れた中細形等(これらをすべて含めて棒状と呼ぶ)とすることができる。
ろうそく１の外周面の適所には、これを販売もしくは頒布する寺社等の紋章その他のマーク５を施すこともある。
【００２３】
灯火体用ケース(以下、単にケースという)６は、透明な合成樹脂材料により形成された上下方向を向く筒体７よりなり、その上端は開口し、下端は閉塞片８により閉塞され、かつ筒体７の外周部の少なくとも一部に、筆記可能部９が設けられ、内部に棒状のろうそく１を収容しうるようになっている。
【００２４】
実施例では、筒体７の横断面形状を、正四角形としてあるが、正三角形、正六角形、またはその他の多角形とすることもある。なお、筒体７の外周の一部を、平坦な筆記可能部９としてある。
【００２５】
前記閉塞片８は、筒体７の下端開口部の一辺に連設され、筒体７の内方に向けて直角に折曲し、かつ遊端に連設した折曲片(図示略)を、筒体７の対向縁に、溶着または接着されている。
これに代わり、筒体７の下端開口部の対向縁に連設した２片の折曲片(図示略)を互いに重合させ、その適所を溶着または接着して形成することもできる。
【００２６】
筆記可能部９は、ケース６の外周面の平坦面の一部をつや消し処理するか、または表面を筆記可能面とした接着テープを接着して形成することができる。
【００２７】
このケース６は、上記のような構成とされているので、献灯者の氏名等を、ろうそく１の外周面に直接記載するのではなく、ケース６の筆記可能部９に、ろうそく１をケース６に収容しない状態でも(もちろん、ケース６に収容した状態でも)記載することができるので、記載し易く、また、ろうそく１をケース６に収容した状態で展示したり、販売したり、奉納したりすることができるので、体裁がよく、しかも、傷つきやすいろうそく１の外周面は、ケース６によって防護されているので、長期間展示したり、保存したりしても、ろうそく１の表面を清潔な状態に保つことができる。
【００２８】
また、筒体７の横断面形状を多角形とし、その外周の平坦面の少なくとも一部を筆記可能部９としてあるので、ここに文字等を記載し易く、しかも、ケース６の筒体７が多角形であるので、体裁がよい。
【００２９】
ケース６の筒体７の上端は開口しているので、図１に示すように、上端が開口するケース６の中にろうそく１を収容して展示している状態から、ケース６をろうそく１とともに取り出して、上下反転させてから、ろうそく１をケース６から取り出し、ろうそく１のみを灯明台(図示略)に装着し、灯芯３に着火して、簡単に献灯することができる。
【００３０】
図２および図３は、本発明の献灯装置の第１の実施形態を示す。
この献灯装置１０は、灯火体であるろうそく１を収容した図１に示すケース６を、支持台１１に起立状態で支持させて展示するようにしたものである。
【００３１】
支持台１１は、上面に、起立状態としたケース６の下端部と補形をなして、その下端部が嵌合可能な有底孔１２が設けられたベース１３と、ベース１３の後部に立設された起立片１４と、起立片１４の前面に設けられ、前端部に、ベース１３上に支持されたケース６の上部または中間部が嵌合することにより、ケース６の後方と両側方への傾倒を阻止する受け溝１５が設けられた上部支持片１６とを備えている。
【００３２】
上部支持片１６の前端部における両側面には、上下方向を向く切り込み１７、１７が設けられており、上部支持片１６の受け溝１５に嵌合したケース６の前方において、輪ゴム等の輪状の伸縮性索条１８を、この両切り込み１７、１７に掛け回すことにより、ケース６が前方に傾倒するのを阻止するようにしてある。
【００３３】
この索条１８により、上部支持片１６の前端部に設けられている受け溝１５の開口部の少なくとも一部を閉塞することにより、ケース６の前方への傾倒を阻止する係止手段１９が形成されている。
【００３４】
この係止手段１９と上部支持片１６の受け溝１５とにより、ろうそく１を収容したケース６の前後、左右のすべての方向への傾倒を確実に防止することができるだけでなく、係止手段１９を解除することにより、すなわち、索条１８を上部支持片１６の前端部から外すことにより、ケース６を、簡単かつ迅速に前方に取り出したり、装着したりすることができる。
【００３５】
索条１８は、輪ゴム等の輪状の伸縮性のものに限られるものではなく、紐、鎖、正面視下向き凵字状の柵等(いずれも図示略)とすることができる。
紐の場合は、上部支持片１６の前端部の両切り込み１７、１７に掛け回した状態で、ケース６の前方において両端部を結ぶようにすればよい。
鎖や正面視下向き凵字状の柵の場合は、ケース６の前方において、上部支持片１６の前端部上に水平に載置し、両端部を両切り込み１７、１７を通して垂下させるだけでよい。
【００３６】
この献灯装置１０は、寺社の本堂等の正面に配置して展示し、献灯者にろうそく１をケース６に収容した状態で販売し、献灯者は、購入したろうそく１が収容されているケース６を、支持台１１から取り出して、ケース６の筆記可能部９に献灯者の氏名等を記載し、それを支持台１１の元の場所に戻して展示する。
支持台１１からのケース６の取り出しや、支持台１１の元の場所へのケース６の戻し作業は、販売者が行うこともある。
【００３７】
その後、適時に寺社の関係者が、支持台１１に支持されているろうそく１をケース６ごと取り出し、ケース６を上下反転させ、ろうそく１をケース６から取り出して、ろうそく１のみを灯明台(図示略)に装着し、灯芯３に着火して、献灯する。
【００３８】
この献灯装置１０によると、駆動源や熱源を必要としないので、維持費用がほとんど必要なく、灯火体であるろうそく１を、ケース６内に収容して防護した状態で、支持台１１上に安定して体裁よく支持することができ、展示効果を高めることができ、しかもろうそく１の奉納時、展示時、灯明時の利便性を高めることができる。
【００３９】
また、支持台１１を、有底孔１２が設けられたベース１３と、起立片１４と、受け溝１５が設けられた上部支持片１６とを備えるものとしてあるので、ろうそく１を収容したケース６の下端部を、ベース１３の有底孔１２に嵌合し、かつケース６の上部または中間部を、上部支持片１６の受け溝１５に嵌合することにより、ろうそく１を、ケース６により防護した状態で、体裁よく、かつ安定して支持することができ、しかも展示効果を高めることができる。
【００４０】
図４は、本発明の灯火体用ケースの第２の実施形態の下方部分を示す。
なお、図１に示す灯火体用ケースの第１の実施形態におけるのと同一または類似の部材には、同一の符号を付して図示するに止め、それらについての詳細な説明は省略する(図５に示す灯火体用ケースの第３の実施形態においても同様とする)。
【００４１】
このケース６においては、閉塞片８は、筒体７の下端に開閉可能として装着されている。
すなわち、閉塞片８は、基端部が筒体７の下端開口部の後縁に、図４に実線で示す前方を向く閉止位置と、同じく２点鎖線で示すように、ほぼ下方を向く開放位置との間を開閉可能として枢設され、かつその遊端部に、上向きの折曲片８ａが折曲形成されている。
【００４２】
折曲片８ａの中央部には、方形の係合孔２０が設けられており、この係合孔２０の上縁を、筒体７の前面下部に設けた突起２１に係止することにより、閉塞片８は、筒体７の下端開口部を閉塞する水平の閉止位置に保持されている。
【００４３】
突起２１は、係合孔２０の上縁が係脱する上端面２１ａと、その前端から後下向き傾斜する傾斜面２１ｂとを有するように、筒体７の前面より前方に側面視楔状をなして突出している。
【００４４】
この筒体７に設けた突起２１は、閉塞片８における係合孔２０を設けた折曲片８ａと協働して、閉塞片８を閉止状態で保持する保持手段をなしている。
保持手段は、このような突起２１に限られるものではなく、例えば、閉塞片８の折曲片８ａを、剥離可能な接着剤をもって接着したもの、閉塞片８に設けた係止片を、筒体７の一部に設けた切り込みまたは係合孔(いずれも図示略)に係止させるようにしたもの等とすることができる。
【００４５】
その他の構造は、図１に示す灯火体用ケースの第１の実施形態におけるものと同一である。
なお、この第２の実施形態においては、ケース６における筒体７の上端は、閉塞片(図示略)により閉塞し、ケース６内に塵埃が進入しないようにしておいてもよい。
【００４６】
このケース６の第２の実施形態によると、図４に実線で示す状態から、閉塞片８における折曲片８ａの上端部を前方に弾性撓曲させて、係合孔２０の上縁を突起２１から外し、かつ閉塞片８を、図４に２点鎖線で示すように、下向きに開くことにより、筒体７内に収容されているろうそく１を下方に向けて簡単に取り出すことができる。
【００４７】
したがって、寺社の関係者が、図４に示すケース６を、その中に収容したろうそく１とともに、図２等に示す支持台１１から取り出し、展示時の上下方向を向く姿勢のまま把持した状態で、閉塞片８を上記のようにして開き、ろうそく１をケース６から下方に抜き出して、ろうそく１のみを灯明台に装着するか、または、閉塞片８を開いたケース６ごと、ろうそく１を灯明台に装着し、その後ケース６のみをろうそく１から上方に取り出し、しかる後、灯芯３に着火して、献灯することができる。
【００４８】
すなわち、ケース６の第１の実施形態のように、ケース６を上下反転させて、ろうそく１を取り出す必要がなく、上下方向を向く姿勢のままで、ろうそく１をケース６から下方に取り出したり、ケース６ごと、ろうそく１を灯明台に装着したりすることができ、ろうそく１の展示時から灯明時への移行の際の利便性がよい。
【００４９】
特に、ケース６ごと、ろうそく１を灯明台に装着し、その後ケース６のみをろうそく１から上方に取り出すようにすれば、ろうそく１に手を触れることなく作業を行うことができるので、手にろう材が付着したり、ろうそく１の表面が汚れたりすることがなく、清潔に作業を行うことができる
【００５０】
図５は、本発明の灯火体用ケースの第３の実施形態の下部と、それを保持する灯明台とを示す。
【００５１】
このケース６の第３の実施形態においては、筒体７の下端開口部を、外部からの尖先部材(後述する)の押圧により破られ、筒体７の下端を開放しうる容易破断性材料により形成した閉塞片２２により閉塞してある。
【００５２】
この閉塞片２２は、伸縮性のシートを緊張させて、筒体７の下端開口部を閉塞し、かつその周縁部を、筒体７の下端部の外周面に、ピン等の止着具２３をもって固着するか、または溶着もしくは接着することにより形成することができる。
閉塞片２２の材料としては、例えば羊羹等を被包している容易破断性の合成樹脂材料と同様の材料を使用することができる。
【００５３】
図５に示す灯明台３０は、上面に、ケース６の下端部と補形をなして、その下端部が嵌合するようにした有底孔３１と、この有底孔３１の底面３１ａの中央に上向きに突設され、ろうそく１の底面に設けられている円錐形の保持孔４に嵌合可能な、転倒防止用の尖先状のピン３２とが設けられた支持台３３を備えている。
【００５４】
ピン３２は、前記閉塞片２２を破るための尖先部材をなしている。
【００５５】
したがって、寺社等の関係者が、図５に示すケース６を、その中に収容したろうそく１とともに、図２等に示す支持台１１から取り出し、展示時の上下方向を向く姿勢のまま把持した状態で、ケース６の下端部を図５に示す灯明台３０の有底孔３１に嵌合しようとすると、その直前に、ピン３２の先端が閉塞片２２に刺さり、閉塞片２２が破断し、その残骸は、図５に２点鎖線で示すように、ケース６の下端外周部に付着した状態で残る。
【００５６】
閉塞片２２の破断により、ケース６の下端部は開口し、ケース６内のろうそく１の保持孔４は、円滑にピン３２に嵌合することができ、かつケース６の下端部は支持台３３の有底孔３１に嵌合される。
【００５７】
その後、ケース６のみをろうそく１から上方に取り出すと、ろうそく１は、その保持孔４にピン３２が刺さっていることにより、起立状態で安定よく支持台３３上に支持される。
しかる後、灯芯３に着火して、献灯することができる。
【００５８】
したがって、図５に示す実施形態によると、ケース６を上下反転させて、ろうそく１をケース６から取り出したり、ろうそく１を直接把持したりすることなく、ろうそく１を簡単かつ迅速に灯明台３０等に装着することができる。
【００５９】
図６は、本発明の献灯装置の第２の実施形態を示す。
なお、図２および図３に示す献灯装置の第１の実施形態におけるのと同一または類似の部材には、同一の符号を付して図示するに止め、それらについての詳細な説明は省略する(図７以降に示す献灯装置の第３以降の実施形態においても同様とする)。
【００６０】
図６に示す献灯装置１０においては、図２に示す係止手段１９に代えて、フック式の係止手段４０を備えるものとしてある。
この係止手段４０は、上部支持片１６における受け溝１５の一側方の上面に上下方向を向く軸４１をもって基端部が枢着され、かつ先端に受け溝１５の方向を向く係止部４２ａが設けられたフック片４２と、中間の巻回部４３ａが軸４１に巻回され、一方の延出端部４３ｂが上部支持片１６の適所に係止され、かつ他方の延出端部４３ｃがフック片４２の中間部に係止されて、フック片４２を、軸４１を中心として係止部４２ａが受け溝１５内に突出する係止方向に付勢する捩りコイルばねとした付勢手段４３と、上部支持片１６の上面に突設され、かつフック片４２の係止部４２ａが、受け溝１５に嵌合されたケース６の前面に係合しうる係止位置に達したとき、フック片４２の中間部に当接して、フック片４２のそれ以上の過剰回動を阻止するようにしたストッパ４４とを備えている。
【００６１】
この係止手段４０によると、フック片４２を、付勢手段４３の付勢力に抗して、係止位置から、フック片４２の係止部４２ａが受け溝１５から外れた解除位置まで回動させることにより、ケース６を受け溝１５に出し入れすることができ、ケース６を受け溝１５に嵌合しているときは、フック片４２が付勢手段４３の付勢力により付勢されて係止位置に保持され、そのときのフック片４２の係止部４２ａが、受け溝１５の開口部の一部を閉塞して、ケース６の前方への傾倒を阻止することができる。
【００６２】
図７は、本発明の献灯装置の第３の実施形態を示す。
図７に示す献灯装置１０においては、図２に示す係止手段１９に代えて、ゲート式の係止手段５０を備えるものとしてある。
この係止手段５０は、上部支持片１６における受け溝１５の前端の開口縁部に、上方と互いに対向する側方のみとに開口する１対の受け溝５１、５１を設け、この両受け溝５１、５１に、左右方向を向くゲート板５２の両側下部を落とし込むことにより、受け溝１５の開口部を閉塞して、受け溝１５内に嵌合したケース６の前方への傾倒を阻止することができるようにしてある。
【００６３】
この係止手段５０によると、ゲート板５２を、両受け溝５１、５１から図７に矢印で示すように、上方に引き上げて、上部支持片１６から外すだけで、ケース６を受け溝１５に出し入れすることができる。
【００６４】
図８および図９は、本発明の献灯装置の第４の実施形態を示す。
図８および図９に示す献灯装置６０は、灯明台としても使用しうるものであって、上端が開口し、かつ下端が閉塞片８により閉塞された図１に示すケース６を上下反転させて、開口が下方を向き、かつ閉塞片８が上方に位置するようにし、その中にろうそく１を収容した状態で、ケース６およびろうそく１を起立状態で支持する支持台６１を備えている。
この献灯装置６０においては、ケース６を、開口が下方を向くようにして展示する関係上、筆記可能部９’の位置を、ケース６の下端の開口部寄りに形成してある。
【００６５】
支持台６１は、上面に、開口を下にして起立状態としたケース６の筒体７の下端部と補形をなして、その下端部が嵌合可能な左右２個の有底孔６２、６２と、各有底孔６２内において、ケース６内に収容されたろうそく１の下端部と補形をなして、その下端部が嵌合可能な有底の受支孔６３、６３とが多段状に設けられているベース６４を備えている。
【００６６】
ベース６４における各受支孔６３の底面６３ａの中央には、ろうそく１の底面に設けられている円錐形の保持孔４(図３参照)に嵌合可能な、転倒防止用の尖先状のピン６５が上向きに突設されている。
【００６７】
献灯装置６０においては、ろうそく１の展示時には、図８の右方に示すように、ろうそく１の保持孔４にピン６５が刺さるようにして、ろうそく１の下端部が受支孔６３に嵌合され、さらにその外側から、上端が閉塞片８により閉塞され、かつ下端開口部が有底孔６２に嵌合されたケース６が被嵌されている。
【００６８】
このとき、ろうそく１は、保持孔４にピン３２が刺さっており、かつ下端部が受支孔６３に嵌合されていることにより、ベース６４上に安定よく、強固に支持されている。
また、ケース６も、その下端開口部が有底孔６２に嵌合されていることにより、ベース６４上に安定よく支持されている。
【００６９】
この状態で、献灯装置６０は寺社の本堂等の全面に載置して展示され、献灯者が献灯したいときは、寺社の関係者に代金を支払った後、希望のケース６のみを、場合によってはろうそく１ごと支持台６１から取り出して、ケース６の筆記可能部９’に献灯者の氏名等を記載し、その後、ケース６およびろうそく１を、支持台６１上の元の位置に戻す。
【００７０】
支持台６１上のすべてのケース６の筆記可能部９’に献灯者の氏名等が記載された後、または適時に、寺社の関係者がすべてのケース６を支持台６１上から上方に外し、支持台６１上に支持されたままのすべてのろうそく１に着火して、支持台６１が載置されたままの場所で、支持台６１を灯明台として、献灯することができる。
【００７１】
この献灯装置６０によると、図２および図３に示す献灯装置１０の支持台１１における起立片１４および上部支持片１６を省略して、構造を簡素化することができ、しかもろうそく１およびケース６を安定よくベース６４上に支持することができる。
【００７２】
また、複数のろうそく１およびケース６を体裁よく支持して展示することができるだけでなく、支持台６１からケース６のみを引き上げて、迅速にろうそく１に点火することができ、ろうそく１の展示時から灯明時にかけての利便性がよい。
すなわち、ろうそく１をケース６とともに支持台６１から取り出した後、ろうそく１をケース６から抜き出し、次いでろうそく１のみを支持台６１上に立てるといった作業を省略することができる。
【００７３】
さらに、支持台６１に設けた転倒防止用のピン６５に、ろうそく１の保持孔４を嵌合することにより、ろうそく１の展示時および灯明時において、各ろうそく１を、支持台６１上に起立状態で安定よく強固に支持することができ、またろうそく１の転倒を防止することができる。
【００７４】
図１０は、本発明の献灯装置の第５の実施形態を示す。
図１０に示す献灯装置７０においては、図２に示す献灯装置１０における支持台１１全体を横長のものとした支持台７１を備えている。
【００７５】
支持台７１におけるベース７２の上面には、複数の有底孔７３が左右方向に並べて設けられており、ベース７２の後部に立設した起立片７４の前面に設けた上部支持片７５の前部には、ろうそく１を収容したケース６の上部または中間部が嵌合することにより、ケース６の後方と両側方への傾倒を阻止するようにした複数の受け溝７６が、左右方向に並べて設けられている。
【００７６】
上部支持片７５の前部には、図２に示す係止手段１９、図６に示す係止手段４０、図７に示す係止手段５０のいずれかのものと同様のものを設けてもよい。
【００７７】
この献灯装置７０によると、複数のろうそく１およびケース６を、左右方向に並べて、体裁よく展示することができ、図２に示す献灯装置１０と同様の作用および効果を奏することができる。
【００７８】
本発明は、上記実施形態のみに限定されるものではなく、特許請求の範囲を逸脱することなく、例えば、次のような幾多の変形した態様での実施が可能である。
(１)ろうそく１に代えて、線香の束、その他の灯火体を使用する。
(２)図３に２点鎖線で示すように、ベース１３における有底孔１２の底面の中央に、図５に示すピン３２、または図８に示すピン６５と同様の転倒防止用の尖先状のピン８０を立設する。
この場合には、ケース６の閉塞片８に、ピン８０が挿通しうる挿通孔(図示略)を予め設けておき、ケース６の下端部をベース１３の有底孔１２に嵌合したとき、ピン８０が閉塞片８におけるこの挿通孔を挿通し、ケース６内に収容されたろうそく１の保持孔４に円滑に侵入するようにするのが好ましい。
(３)図８に示すケース６の上端を開口させておく。
【符号の説明】
【００７９】
１  ろうそく(灯火体)                  ２  円柱体
３  灯芯                            ４  保持孔
５  マーク                          ６  灯火体用ケース
７  筒体                            ８  閉塞片
８ａ折曲片                          ９、９’  筆記可能部
１０  献灯装置                        １１  支持台
１２  有底孔                          １３  ベース
１４  起立片                          １５  受け溝
１６  上部支持片                      １７  切り込み
１８  索条                            １９  係止手段
２０  係合孔                          ２１  突起(保持手段)
２１ａ上端面                          ２１ｂ傾斜面
２２  閉塞片                          ２３  止着具
３０  灯明台                          ３１  有底孔
３１ａ底面                            ３２  ピン
３３  支持台                          ４０  係止手段
４１  軸                              ４２  フック片
４２ａ係止部                          ４３  付勢手段
４３ａ巻回部                          ４３ｂ延出端部
４３ｃ延出端部                        ４４  ストッパ
５０  係止手段                        ５１  受け溝
５２  ゲート板                        ６０  献灯装置
６１  支持台                          ６２  有底孔
６３  受支孔                          ６３ａ底面
６４  ベース                          ６５  ピン
７０  献灯装置                        ７１  支持台
７２  ベース                          ７３  有底孔
７４  起立片                          ７５  上部支持片
７６  受け溝                          ８０  ピン
【手続補正書】
【提出日】平成30年11月14日(2018.11.14)
【手続補正１】
【補正対象書類名】特許請求の範囲
【補正対象項目名】請求項１
【補正方法】変更
【補正の内容】
【請求項１】
透明な合成樹脂材料により形成された筒体の少なくとも一端が閉塞片により閉塞され、前記筒体の外周部の少なくとも一部に、筆記可能部が設けられており、前記筒体の内部に灯火体を収容しうるようにしたケースと、
前記灯火体が収容されている前記ケースを起立状態で支持する支持台とを備え、
前記支持台は、
上面に、起立状態とした前記ケースの下端部が嵌合可能な有底孔が設けられたベースと、
前記ベースの後部に立設された起立片と、
前記起立片の前面に設けられ、前端部に、前記ベース上に支持された前記ケースの上部または中間部が嵌合することにより、前記ケースの後方と両側方への傾倒を阻止する受け溝が設けられた上部支持片とを有することを特徴とする献灯装置。